(57)【要約】    【課題】高品質な画像を表示させることが可能な表示パネルの駆動方法を提供することを目的とする。    【解決手段】表示パネルに形成されている表示セルを複数の階調で発光駆動するにあたり、所定輝度レベルよりも高輝度を表す階調では、隣接する複数の表示ラインからなる表示ライン群毎に各表示ラインに異なる輝度重みを割り当て、各表示ラインに属する表示セル各々を異なる輝度レベルで発光させるラインディザ駆動を実行する。この際、所定輝度レベルよりも高輝度を表す階調各々の内で最も低輝度を表す階調では、その他の階調に比して、最大の輝度重みが割り当てられている表示ラインに属する表示セルにて為される発光時の輝度レベルと、最小の輝度重みが割り当てられている表示ラインに属する表示セルにて為される発光時の輝度レベルとの輝度差を小にする。    【選択図】図４
2008304599.tif 000002
【特許請求の範囲】
【請求項１】
表示パネルの各表示ラインに配列されている表示セルを、夫々異なる輝度レベルを表現する第１〜第Ｍ階調（Ｍ：２以上の整数）各々の内で映像信号によって示される輝度レベルに対応した１の階調に対応した輝度レベルで発光させる表示パネルの駆動方法であって、
前記第１〜第Ｍ階調各々の内で所定輝度レベルよりも高輝度を表す階調では、隣接する複数の表示ラインからなる表示ライン群毎に当該表示ライン群内の表示ライン各々に輝度重みを割り当て、当該輝度重みに基づいて前記表示ライン毎に各表示ラインに属する表示セルを異なる輝度レベルで発光させるラインディザ駆動を実行し、
前記所定輝度レベルよりも高輝度を表す階調各々の内で最も低輝度を表す階調ではその他の階調に比して、最大の輝度重みが割り当てられている表示ラインに属する表示セルにて為される発光動作時の輝度レベルと、最小の輝度重みが割り当てられている表示ラインに属する表示セルにて為される発光動作時の輝度レベルとの輝度差が小であることを特徴とする表示パネルの駆動方法。
【請求項２】
前記第１〜第Ｍ階調各々の内で前記所定輝度レベルよりも低輝度を表す階調では、前記表示ライン群内の表示ライン各々に同一の輝度重みを割り当てることにより各表示ラインに属する前記表示セル各々を前記階調に対応した１の輝度レベルで発光させることを特徴とする請求項１記載の表示パネルの駆動方法。
【請求項３】
各表示ラインに画素を担う複数の表示セルが配列されている表示パネルを、映像信号に基づく各画素に対応した画素データに応じて単位表示期間内における複数のサブフィールド毎に階調駆動する表示パネルの駆動方法であって、
前記サブフィールドの各々は、点灯モードの状態にある前記表示セルのみを当該サブフィールドに割り当てられている回数だけ繰り返し発光させるサスティン行程と、前記画素データに応じて選択的に前記表示セル各々を前記点灯モードの状態から消灯モードの状態に遷移させるべき消去アドレス動作を実行させるアドレス行程と、を含み、
前記単位表示期間内において連続配置されているＷ（Ｗ：２以上の整数）個の前記サブフィールドからなるサブフィールド群の各々の内の１のサブフィールド群に属するサブフィールド各々の前記アドレス行程では、夫々異なる第１〜第Ｗ表示ライン群の内の１の表示ライン群に属する表示セルのみを対象として前記消去アドレス動作を実行し、
前記１のサブフィールド群に属するサブフィールド各々の内の少なくとも１のサブフィールドの前記アドレス行程では、前記１の表示ライン群と共に前記１の表示ライン群とは異なる少なくとも１の表示ライン群に属する表示セルをも対象として前記消去アドレス動作を実行することを特徴とする表示パネルの駆動方法。
【請求項４】
前記単位表示期間内において、先頭の前記サブフィールドおいてのみで前記表示セルを前記消灯モードの状態から前記点灯モードの状態に遷移させ、
前記単位表示期間内の１のサブフィールドの前記アドレス行程において前記表示セルが前記点灯モードの状態から前記消灯モードの状態に遷移されるまでの間に亘り前記点灯モードの状態を維持させることを特徴とする請求項３に記載の表示パネルの駆動方法。
【請求項５】
前記単位表示期間内において、前記１のサブフィールド群の直前に配置されているサブフィールドの前記アドレス行程では、全ての表示セルを対象として前記消去アドレス動作を実行し、
前記１のサブフィールド群に属するサブフィールド各々の内の先頭のサブフィールドの前記アドレス行程において、前記１の表示ライン群と共に前記１の表示ライン群とは異なる表示ライン群に属する表示セルをも対象として消去アドレス動作を実行することを特徴とする請求項３記載の表示パネルの駆動方法。
【請求項６】
隣接するＷ個の表示ラインからなる表示ライン群内に、前記１の表示ライン群及び前記１の表示ライン群とは異なる表示ライン群に夫々属する表示ラインが含まれることを特徴とする請求項３に記載の表示パネルの駆動方法。
【発明の詳細な説明】
【技術分野】
【０００１】
表示パネルの駆動方法に関する。
【背景技術】
【０００２】
２次元画像表示パネルとして、複数の放電セルがマトリクス状に配列されたプラズマディスプレイパネル（以下、ＰＤＰという）を搭載したプラズマディスプレイ装置が製品化されている。プラズマディスプレイ装置では、サブフィールド法に基づいてＰＤＰを駆動することにより、入力映像信号によって表される各種輝度レベルを表現するようにしている。サブフィールド法に基づく駆動では、１フィールドの表示期間を複数のサブフィールドに分割し、各サブフィールド毎に例えば以下の如き駆動を実施する。すなわち、入力映像信号に応じて各放電セルを点灯モード又は消灯モードに設定し、点灯モードに設定されている放電セルのみをこのサブフィールドに割り当てられている回数分だけ繰り返し放電発光させるのである。この駆動によれば、１フィールド期間内で生起された放電発光の総数に対応した中間輝度が得られるようになる。
【０００３】
ここで、上記サブフィールド法に基づく駆動を実施するにあたり、偽輪郭の発生を防止する為に、先頭のサブフィールドから連続したサブフィールド各々のみで放電発光を実施させるようにした駆動方法が提案された（例えば、特許文献１の図２参照)。
【０００４】
ところが、かかる駆動方法では、１フィールドを分割するサブフィールドの数に限度がある為、輝度の階調数が不足するという問題が生じる。そこで、入力映像信号に対してディザ処理の如き多階調化処理を施すことによりこの階調数不足を補うようにしている。ディザ処理では、先ず、画面の上下左右方向に隣接する複数の画素からなる画素ブロック毎に、この画素ブロック内の各画素位置に対応させて夫々異なるディザ値を割り当てる。次に、画素ブロック内の各画素に対応した画素データ（入力映像信号によって表される輝度レベルを表すデータ）と、夫々の画素位置に対応したディザ値とを加算する。そして、ディザ加算後の画素データにおける上位ビット群を抽出し、この上位ビット群の値に応じて、先頭サブフィールドから連続して放電発光を実施させるべきサブフィールドの数を決定するのである。これにより、上記の如き画素ブロック内の各画素の平均輝度に対応した輝度が視覚されることになる。
【０００５】
更に、上述した如きディザ処理と共に、隣接する複数の表示ラインからなる表示ライン群毎に、その表示ライン群内の各表示ラインに対して夫々異なる輝度重みをもたせて各画素を発光駆動する、いわゆるラインディザ駆動を実施するようにした駆動方法が提案されている（例えば、特許文献２参照)。
【０００６】
図１は、ラインディザ駆動を実施した場合の発光駆動パターンの一例を示す図である（例えば、特許文献２の図４参照)。
【０００７】
図１に示されるラインディザ駆動では、入力映像信号によって示される輝度レベルを５段階に区切って表す際の各階調（ＭＤ「０００」〜ＭＤ「１００」）において、隣接する４つの表示ライン毎に、その表示ラインに属する放電セルを発光させる際の輝度レベルを異ならせている。
【０００８】
例えば、図１において、最低輝度を表す第１の階調（ＭＤ「０００」）よりも１段階だけ高輝度を表す第２の階調（ＭＤ「００１」）の駆動では、
第（４Ｎ−３）表示ライン：輝度レベル「２」
第（４Ｎ−２）表示ライン：輝度レベル「４」
第（４Ｎ−１）表示ライン：輝度レベル「６」
第（４Ｎ）表示ライン    ：輝度レベル「８」
にて各表示ラインに属する放電セルを発光させる。
【０００９】
又、第２の階調（ＭＤ「００１」）よりも１段階だけ高輝度を表す第３の階調（ＭＤ「０１０」）の駆動では、
第（４Ｎ−３）表示ライン：輝度レベル「１０」
第（４Ｎ−２）表示ライン：輝度レベル「１２」
第（４Ｎ−１）表示ライン：輝度レベル「１４」
第（４Ｎ）表示ライン    ：輝度レベル「１６」
にて各表示ラインに属する放電セルを発光させる。
【００１０】
又、第３の階調（ＭＤ「０１０」）よりも１段階だけ高輝度を表す第４の階調（ＭＤ「０１１」）の駆動では、
第（４Ｎ−３）表示ライン：輝度レベル「１８」
第（４Ｎ−２）表示ライン：輝度レベル「２０」
第（４Ｎ−１）表示ライン：輝度レベル「２２」
第（４Ｎ）表示ライン    ：輝度レベル「２４」
にて各表示ラインに属する放電セルを発光させる。
【００１１】
よって、前述した如きディザ処理によって得られた画素データに基づき、かかるラインディザ駆動を実施することにより、例えば４行×４列分の放電セルのブロック毎に、そのブロック内の放電セルを異なる輝度レベルで発光させることが可能となる。この際、各ブロック内の放電セル各々の発光時における輝度の平均値に対応した輝度が視覚されることになる。
【００１２】
すなわち、その平均値が、入力映像信号によって表される輝度値に対応した値となるような輝度パターン（以降、ディザパターンと称する）にて、ブロック内の放電セル各々を発光させるのである。
【００１３】
ここで、図１に示されるラインディザ駆動によれば、各表示ライン毎に、その表示ラインに属する放電セルにおける隣接階調間での輝度差は「８」となる。例えば、第（４Ｎ−３）表示ラインに属する放電セルは、第２階調では輝度レベル「２」、第３階調では輝度レベル「１０」にて発光するので、その輝度差は「８」となる。又、第（４Ｎ）表示ラインに属する放電セルは、第２階調では輝度レベル「８」、第３階調では輝度レベル「１６」にて発光するので、その輝度差も「８」となる。このように、表示ライン毎に輝度重みをもたせた場合であっても、隣接階調間での輝度差にはバラツキが無いので、入力映像信号によって示される輝度値を表すディザパターンを容易に形成させることが可能となる。
【００１４】
ところで、前述した如きサブフィールド法に基づく駆動では、入力映像信号によって示される輝度レベルがある程度低輝度となると、各表示ライン毎に輝度重みをつけることができなくなる。
【００１５】
そこで、例えば図１に示されるように、所定輝度よりも低輝度を表現する第１階調（ＭＤ「０００」）ではラインディザ駆動を実施しないようにしている。
【００１６】
しかしながら、ラインディザ駆動を実施しない階調と、ラインディザ駆動を実施する階調とが混在すると、その境界部において、各表示ライン毎の階調間での輝度差にバラツキが生じることになる。
【００１７】
例えば、図１に示される第１階調（ＭＤ「０００」）及び第２階調（ＭＤ「００１」）の階調間での各表示ライン毎の輝度差は、各表示ライン毎に、
第（４Ｎ−３）表示ライン：「２」
第（４Ｎ−２）表示ライン：「４」
第（４Ｎ−１）表示ライン：「６」
第（４Ｎ）表示ライン    ：「８」
となり、その輝度差にバラツキが生じることになる。
【００１８】
よって、低輝度階調時には、入力映像信号によって示される輝度値を表すディザパターンを形成させることが困難となる。従って、この際、入力映像信号によって示される輝度値とは僅かに異なる輝度値を表すディザパターンを採用せざるをえなくなり、画質劣化が生じてしまうという問題があった。
【特許文献１】特開２００６−１１２２４号公報
【特許文献２】特開２００６−４７９７０号公報
【発明の開示】
【発明が解決しようとする課題】
【００１９】
本発明は、かかる問題を解決すべく為されたものであり、高品質な画像を表示させることが可能な表示パネルの駆動方法を提供することを目的とするものである。
【課題を解決するための手段】
【００２０】
請求項１記載による表示パネルの駆動方法は、表示パネルの各表示ラインに配列されている表示セルを、夫々異なる輝度レベルを表現する第１〜第Ｍ階調（Ｍ：２以上の整数）各々の内で映像信号によって示される輝度レベルに対応した１の階調に対応した輝度レベルで発光させる表示パネルの駆動方法であって、前記第１〜第Ｍ階調各々の内で所定輝度レベルよりも高輝度を表す階調では、隣接する複数の表示ラインからなる表示ライン群毎に当該表示ライン群内の表示ライン各々に輝度重みを割り当て、当該輝度重みに基づいて前記表示ライン毎に各表示ラインに属する表示セルを異なる輝度レベルで発光させるラインディザ駆動を実行し、前記所定輝度レベルよりも高輝度を表す階調各々の内で最も低輝度を表す階調ではその他の階調に比して、最大の輝度重みが割り当てられている表示ラインに属する表示セルにて為される発光動作時の輝度レベルと、最小の輝度重みが割り当てられている表示ラインに属する表示セルにて為される発光動作時の輝度レベルとの輝度差が小である。
【００２１】
又、請求項３記載による表示パネルの駆動方法は、各表示ラインに画素を担う複数の表示セルが配列されている表示パネルを、映像信号に基づく各画素に対応した画素データに応じて単位表示期間内における複数のサブフィールド毎に階調駆動する表示パネルの駆動方法であって、前記サブフィールドの各々は、点灯モードの状態にある前記表示セルのみを当該サブフィールドに割り当てられている回数だけ繰り返し発光させるサスティン行程と、前記画素データに応じて選択的に前記表示セル各々を前記点灯モードの状態から消灯モードの状態に遷移させるべき消去アドレス動作を実行させるアドレス行程と、を含み、前記単位表示期間内において連続配置されているＷ（Ｗ：２以上の整数）個の前記サブフィールドからなるサブフィールド群の各々の内の１のサブフィールド群に属するサブフィールド各々の前記アドレス行程では、夫々異なる第１〜第Ｗ表示ライン群の内の１の表示ライン群に属する表示セルのみを対象として前記消去アドレス動作を実行し、前記１のサブフィールド群に属するサブフィールド各々の内の少なくとも１のサブフィールドの前記アドレス行程では、前記１の表示ライン群と共に前記１の表示ライン群とは異なる少なくとも１の表示ライン群に属する表示セルをも対象として前記消去アドレス動作を実行する。
【発明を実施するための最良の形態】
【００２２】
表示パネルに形成されている表示セルを複数の階調で発光駆動するにあたり、所定輝度レベルよりも低輝度を表す階調では、隣接する複数の表示ラインからなる表示ライン群毎に、その表示ライン各々に同一の輝度重みを割り当てて各表示ラインに属する表示セル各々を上記階調に対応した１の輝度レベルで発光させる。一方、所定輝度レベルよりも高輝度を表す階調では、上記表示ライン群毎に各表示ラインに異なる輝度重みを割り当てて、各表示ラインに属する表示セル各々を異なる輝度レベルで発光させるラインディザ駆動を実行する。この際、所定輝度レベルよりも高輝度を表す階調各々の内で最も低輝度を表す階調では、その他の階調に比して、最大の輝度重みが割り当てられている表示ラインに属する表示セルにて為される発光時の輝度レベルと、最小の輝度重みが割り当てられている表示ラインに属する表示セルにて為される発光時の輝度レベルとの輝度差を小にする。
【００２３】
かかる駆動により、ラインディザ駆動が実行される各階調の内で最も低輝度を表す階調と、この階調よりも１段階だけ低輝度を表す階調（ラインディザ駆動が実施されない階調）との間において、各表示ライン毎の輝度差は比較的小となる。従って、低輝度な画像を表示する際にも、入力映像信号によって示される輝度値を表すディザパターンを形成させることが容易となり、高品質な画像を提供することが可能となる。
【実施例】
【００２４】
図２は、本発明による表示パネルの駆動方法に従ってプラズマディスプレイパネルの駆動を行うプラズマディスプレイ装置の概略構成を示す図である。
【００２５】
図２において、プラズマディスプレイパネルとしてのＰＤＰ１００は、表示面を担う前面基板(図示せぬ)と、放電ガスの封入された放電空間を挟んで前面基板と対向した位置に配置されている背面基板(図示せぬ)とを備える。前面基板上には、互いに交互にかつ平行に配置されている行電極Ｘ1〜Ｘn及び行電極Ｙ1〜Ｙnが形成されている。背面基板上には、上記行電極各々に交叉して配置されている列電極Ｄ1〜Ｄmが形成されている。尚、行電極Ｘ1〜Ｘn及びＹ1〜Ｙnは、夫々互いに隣接するもの同士による一対の行電極Ｘ及びＹにて、ＰＤＰ１００の第１〜第ｎ表示ラインを担う構造となっており、各行電極対と列電極との交叉部(放電空間を含む)に画素を担う放電セルＧ（表示セル）が形成されている。すなわち、ＰＤＰ１００には、（ｎ×ｍ）個の放電セルＧ(1,1)〜Ｇ(n,m)がマトリクス状に形成されているのである。
【００２６】
画素データ変換回路１０は、入力映像信号に基づく各画素毎の輝度レベルを例えば６ビットにて表す画素データＰＤに変換し、これを多階調化処理回路２０に供給する。
【００２７】
多階調化処理回路２０は、加算器２００、ラインオフセットデータ生成回路２１０及び上位ビット抽出回路２３０を備える。ラインオフセットデータ生成回路２１０は、図３に示す如きラインオフセットデータを生成して加算器２００に供給する。
【００２８】
すなわち、ラインオフセットデータ生成回路２１０は、ＰＤＰ１００の第（８Ｎ−７）番目及び第（８Ｎ−４）番目の表示ライン［Ｎ：(n/8)以下の自然数］に対応した画素データＰＤが供給された場合には「０」（１０進数表現）を示すラインオフセットデータを加算器２００に供給する。又、第（８Ｎ−６）番目及び第（８Ｎ−１）番目の表示ラインに対応した画素データＰＤが供給された場合には、ラインオフセットデータ生成回路２１０は、「２」（１０進数表現）を示すラインオフセットデータを加算器２００に供給する。又、第（８Ｎ−５）番目及び第（８Ｎ−２）番目の表示ラインに対応した画素データＰＤが供給された場合には、ラインオフセットデータ生成回路２１０は、「６」（１０進数表現）を示すラインオフセットデータを加算器２００に供給する。又、第（８Ｎ−３）番目及び第（８Ｎ）番目の表示ラインに対応した画素データＰＤが供給された場合には、ラインオフセットデータ生成回路２１０は、「４」（１０進数表現）を示すラインオフセットデータを加算器２００に供給する。
【００２９】
加算器２００は、画素データ変換回路１０から供給された６ビットの画素データＰＤに、上記ラインオフセットデータを加算して得られた６ビットのオフセット加算画素データＫＤを上位ビット抽出回路２３０に供給する。上位ビット抽出回路２３０は、オフセット加算画素データＫＤの下位２ビット分を切り捨て、残りの上位４ビット分を階調画素データＭＤとして画素駆動データ生成回路３０に供給する。
【００３０】
すなわち、多階調化処理回路２０は、各画素データＰＤに図３に示す如きラインオフセットデータを加算することにより、図４に示す如き、全輝度範囲を８段階に区切って表す第１〜第８階調に夫々対応した４ビットの階調画素データＭＤを生成し、画素駆動データ生成回路３０に供給する。
【００３１】
画素駆動データ生成回路３０は、上記階調画素データＭＤを図４に示す如き変換テーブルに従って７ビットの画素駆動データＧＤに変換し、これをメモリ４０に供給する。尚、画素駆動データＧＤの各ビットは、そのビット桁に対応したサブフィールドのアドレス行程（後述する）において放電セルＧを選択消去アドレス放電させるか否かを示す論理レベルを有するものである。この際、画素駆動データＧＤの第１〜第７ビットは夫々、後述するサブフィールドＳＦ０、ＳＦ１、ＳＦ２、サブフィールド群ＳＧ３〜ＳＧ５、及びサブフィールドＳＦ６に対し、以下の如き対応関係を有する。
【００３２】
第１ビット：ＳＦ０
第２ビット：ＳＦ１
第３ビット：ＳＦ２
第４ビット：ＳＧ３
第５ビット：ＳＧ４
第６ビット：ＳＧ５
第７ビット：ＳＦ６
メモリ４０は、各画素毎の画素駆動データＧＤを順次取り込んで記憶する。そして、１フレーム(ｎ行×ｍ列)分の画素駆動データＧＤ1、1〜ＧＤn、mが書込まれる度に、以下の如き読み出しを行う。すなわち、メモリ４０は、後述するサブフィールド各々毎に、画素駆動データＧＤ各々中からそのサブフィールド（又はサブフィールド群）に対応したビット桁のビットを画素駆動データビットＤＢとして読み出し、これを１表示ライン分ずつ列電極ドライバ５０に供給する。
【００３３】
駆動制御回路６０は、図５に示す発光駆動シーケンスに従って、１フィールド又は１フレーム表示期間（以下、単位表示期間と称する）毎に、ＰＤＰ１００を階調駆動させるべき各種駆動制御信号を、パネル駆動部としての列電極ドライバ５０、行電極Ｙドライバ７０及び行電極Ｘドライバ８０各々に供給する。パネル駆動部は、図５に示す如きサブフィールドＳＦ０、ＳＦ１、ＳＦ２、サブフィールド群ＳＧ３（ＳＦ３１〜ＳＦ３４）、ＳＧ４（ＳＦ４１〜ＳＦ４４）、ＳＧ５（ＳＦ５１〜ＳＦ５４）及びＳＦ６各々において、各種駆動パルスを列電極Ｄ、行電極Ｘ及びＹを介して各放電セルＧに印加する。
【００３４】
すなわち、先ず、先頭のサブフィールドＳＦ０のリセット行程Ｒにおいて、行電極Ｙドライバ７０及び行電極Ｘドライバ８０は、リセットパルスを放電セルＧ(1,1)〜Ｇ(n,m)各々に印加することにより、全放電セルＧをリセット放電させて点灯モード（所定量の壁電荷が形成された状態）の状態に初期化する。
【００３５】
次に、ＳＦ０のアドレス行程Ｗ０では、列電極ドライバ５０が、このサブフィールドＳＦ０に対応した画素駆動データビットＤＢに応じたパルス電圧を有する画素データパルスを発生し、これを１表示ライン分（ｍ個）ずつ列電極Ｄ1〜Ｄm各々に印加する。例えば、列電極ドライバ５０は、消灯モード状態に遷移させるべき論理レベル１の画素駆動データビットＤＢが供給された場合には所定の高電圧、論理レベル０の画素駆動データビットＤＢが供給された場合には低電圧（接地電位）の画素データパルスを発生する。更に、この間、行電極Ｙドライバ７０は、走査パルスを行電極Ｙ1〜Ｙn各々に順次択一的に印加する。この際、上記走査パルスと共に、消灯モード状態に遷移させるべき高電圧の画素データパルスが印加された放電セルＧ内には選択消去アドレス放電が生起される。選択消去アドレス放電の放電終息後、かかる放電セルＧ内に形成されていた壁電荷が消滅して、この放電セルＧは消灯モードの状態に遷移する。一方、走査パルスが印加されたものの、低電圧の画素データパルスが印加された放電セルＧ内では上述した如き放電は一切生起されない。よって、この放電セルＧは、その直前までの状態（点灯モード、又は消灯モード状態）を維持する。
【００３６】
次に、サブフィールドＳＦ１及びＳＦ２各々のサスティン行程Ｉでは、行電極Ｙドライバ７０及び行電極Ｘドライバ８０が、そのサブフィールドに予め割り当てられているサスティンパルスの回数分だけ繰り返し、全ての行電極Ｘ及びＹ各々に交互にサスティンパルスを印加する。尚、本実施例では、各サブフィールド（ＳＦ０〜ＳＦ２、ＳＦ３１〜ＳＦ３４、ＳＦ４１〜ＳＦ４４、ＳＦ５１〜ＳＦ５４及びＳＦ６）には、サスティンパルスの印加回数として夫々同一の回数「２」が割り当てられているものとする。
【００３７】
サスティン行程Ｉの実行により、点灯モードの状態にある放電セルＧのみが、上記サスティンパルスの印加回数分だけ繰り返しサスティン放電し、その放電に伴う発光状態を維持させる。
【００３８】
次に、サブフィールド群ＳＧ３〜ＳＧ５各々内の各サブフィールドでは、上記サスティン行程Ｉの直後、以下の如きアドレス行程Ｗ１、Ｗ２、Ｗ３又はＷ４に基づく駆動が実施される。
【００３９】
アドレス行程Ｗ１では、行電極Ｙドライバ７０が、行電極Ｙ1〜Ｙnの内の第(８Ｎ−５）番目及び第(８Ｎ−２）番目の行電極Ｙ各々に順次択一的に走査パルスを印加する。この間、列電極ドライバ５０は、画素駆動データビットＤＢに基づき、第(８Ｎ−５）番目及び第(８Ｎ−２）番目の行電極Ｙに属する放電セルＧ各々に対応した画素データパルスを発生し、これを上記走査パルスに同期させて１表示ライン分（ｍ個）ずつ列電極Ｄ1〜Ｄmに印加する。尚、列電極ドライバ５０は、放電セルを消灯モードに遷移させるべき論理レベル１の画素駆動データビットＤＢが供給された場合には所定の高電圧の画素データパルスを発生する一方、論理レベル０の画素駆動データビットＤＢが供給された場合には低電圧（接地電圧）の画素データパルスを発生する。この際、上記走査パルスが印加され且つ高電圧を有する画素データパルスが印加された放電セルＧのみに選択消去アドレス放電が生起される。かかる選択消去アドレス放電により、放電セルＧ内に形成されていた壁電荷が消去され、この放電セルＧは消灯モードに設定される。一方、走査パルスが印加されたものの低電圧を有する画素データパルスが印加された放電セルＧには上記の如き選択消去アドレス放電は生起されない。よって、この放電セルＧは、その直前までの状態（点灯モード又は消灯モード）を維持する。
【００４０】
このように、アドレス行程Ｗ１では、ＰＤＰ１００における第１〜第ｎ表示ラインの内から第(８Ｎ−５）番目及び第(８Ｎ−２）番目の表示ラインに属する放電セルＧのみを対象として、これら放電セルＧ各々を選択的に点灯モードの状態から消灯モードの状態に遷移させるべきアドレス動作が実施される。
【００４１】
又、アドレス行程Ｗ２では、行電極Ｙドライバ７０が、行電極Ｙ1〜Ｙnの内の第(８Ｎ−３）番目及び第(８Ｎ）番目の行電極Ｙ各々に順次択一的に走査パルスを印加する。この間、列電極ドライバ５０は、画素駆動データビットＤＢに基づき、第(８Ｎ−３）番目及び第(８Ｎ）番目の行電極Ｙに属する放電セルＧ各々に対応した画素データパルスを発生し、これを上記走査パルスに同期させて１表示ライン分（ｍ個）ずつ列電極Ｄ1〜Ｄmに印加する。尚、列電極ドライバ５０は、放電セルを消灯モードに遷移させるべき論理レベル１の画素駆動データビットＤＢが供給された場合には所定の高電圧の画素データパルスを発生する一方、論理レベル０の画素駆動データビットＤＢが供給された場合には低電圧（接地電圧）の画素データパルスを発生する。この際、上記走査パルスが印加され且つ高電圧を有する画素データパルスが印加された放電セルＧのみに選択消去アドレス放電が生起される。かかる選択消去アドレス放電により、放電セルＧ内に形成されていた壁電荷が消去され、この放電セルＧは消灯モードに設定される。一方、走査パルスが印加されたものの低電圧を有する画素データパルスが印加された放電セルＧには上記の如き選択消去アドレス放電は生起されない。よって、この放電セルＧは、その直前までの状態（点灯モード又は消灯モード）を維持する。
【００４２】
このように、アドレス行程Ｗ２では、ＰＤＰ１００における第１〜第ｎ表示ラインの内から第(８Ｎ−３）番目及び第(８Ｎ）番目の表示ラインに属する放電セルＧのみを対象として、これら放電セルＧ各々を選択的に点灯モードの状態から消灯モードの状態に遷移させるべきアドレス動作が実施される。
【００４３】
又、アドレス行程Ｗ３では、行電極Ｙドライバ７０が、行電極Ｙ1〜Ｙnの内の第(８Ｎ−６）番目及び第(８Ｎ−１）番目の行電極Ｙ各々に順次択一的に走査パルスを印加する。この間、列電極ドライバ５０は、画素駆動データビットＤＢに基づき、第(８Ｎ−６）番目及び第(８Ｎ−１）番目の行電極Ｙに属する放電セルＧ各々に対応した画素データパルスを発生し、これを上記走査パルスに同期させて１表示ライン分（ｍ個）ずつ列電極Ｄ1〜Ｄmに印加する。尚、列電極ドライバ５０は、放電セルを消灯モードに遷移させるべき論理レベル１の画素駆動データビットＤＢが供給された場合には所定の高電圧の画素データパルスを発生する一方、論理レベル０の画素駆動データビットＤＢが供給された場合には低電圧（接地電圧）の画素データパルスを発生する。この際、上記走査パルスが印加され且つ高電圧を有する画素データパルスが印加された放電セルＧのみに選択消去アドレス放電が生起される。かかる選択消去アドレス放電により、放電セルＧ内に形成されていた壁電荷が消去され、この放電セルＧは消灯モードに設定される。一方、走査パルスが印加されたものの低電圧を有する画素データパルスが印加された放電セルＧには上記の如き選択消去アドレス放電は生起されない。よって、この放電セルＧは、その直前までの状態（点灯モード又は消灯モード）を維持する。
【００４４】
このように、アドレス行程Ｗ３では、ＰＤＰ１００における第１〜第ｎ表示ラインの内から第(８Ｎ−６）番目及び第(８Ｎ−１）番目の表示ラインに属する放電セルＧのみを対象として、これら放電セルＧ各々を選択的に点灯モードの状態から消灯モードの状態に遷移させるべきアドレス動作が実施される。
【００４５】
又、アドレス行程Ｗ４では、行電極Ｙドライバ７０が、行電極Ｙ1〜Ｙnの内の第(８Ｎ−７）番目及び第(８Ｎ−４）番目の行電極Ｙ各々に順次択一的に走査パルスを印加する。この間、列電極ドライバ５０は、画素駆動データビットＤＢに基づき、第(８Ｎ−７）番目及び第(８Ｎ−４）番目の行電極Ｙに属する放電セルＧ各々に対応した画素データパルスを発生し、これを上記走査パルスに同期させて１表示ライン分（ｍ個）ずつ列電極Ｄ1〜Ｄmに印加する。尚、列電極ドライバ５０は、放電セルを消灯モードに遷移させるべき論理レベル１の画素駆動データビットＤＢが供給された場合には所定の高電圧の画素データパルスを発生する一方、論理レベル０の画素駆動データビットＤＢが供給された場合には低電圧（接地電圧）の画素データパルスを発生する。この際、上記走査パルスが印加され且つ高電圧を有する画素データパルスが印加された放電セルＧのみに選択消去アドレス放電が生起される。かかる選択消去アドレス放電により、放電セルＧ内に形成されていた壁電荷が消去され、この放電セルＧは消灯モードに設定される。一方、走査パルスが印加されたものの低電圧を有する画素データパルスが印加された放電セルＧには上記の如き選択消去アドレス放電は生起されない。よって、この放電セルＧは、その直前までの状態（点灯モード又は消灯モード）を維持する。
【００４６】
このように、アドレス行程Ｗ４では、ＰＤＰ１００における第１〜第ｎ表示ラインの内から第(８Ｎ−７）番目及び第(８Ｎ−４）番目の表示ラインに属する放電セルＧのみを対象として、これら放電セルＧ各々を選択的に点灯モードの状態から消灯モードの状態に遷移させるべきアドレス動作が実施される。
【００４７】
ここで、図５に示すように、サブフィールド群ＳＧ３〜ＳＧ５各々内の先頭のサブフィールド、つまり、ＳＦ３１、ＳＦ４１、及びＳＦ５１各々では、アドレス行程Ｗ１に基づく駆動が実施される。又、ＳＧ３〜ＳＧ５各々内の第２番目のサブフィールド、つまり、ＳＦ３２、ＳＦ４２、及びＳＦ５２各々では、アドレス行程Ｗ２に基づく駆動が実施される。又、ＳＧ３〜ＳＧ５各々内の第３番目のサブフィールド、つまり、ＳＦ３３、ＳＦ４３、及びＳＦ５３各々では、アドレス行程Ｗ３に基づく駆動が実施される。又、ＳＧ３〜ＳＧ５各々内の最終のサブフィールド、つまり、ＳＦ３４、ＳＦ４４、及びＳＦ５４各々では、アドレス行程Ｗ４に基づく駆動が実施される。
【００４８】
尚、サブフィールド群ＳＧ３〜ＳＧ５各々の内の先頭のＳＧ３に限り、そのＳＧ３内の先頭のサブフィールドＳＦ３１では、上記アドレス行程Ｗ１に引き続きアドレス行程Ｗ３が実施される。更に、ＳＧ３内の第２番目のサブフィールドＳＦ３２に限り、上記アドレス行程Ｗ２に引き続きアドレス行程Ｗ４が実施される。
【００４９】
そして、最後尾のサブフィールドＳＦ６において、上記サスティン行程Ｉ及び消去行程Ｅが順次実施される。消去行程Ｅでは、行電極Ｙドライバ７０が、行電極Ｙ1〜Ｙn各々に消去パルスを印加することにより、点灯モードの状態にある放電セルＧの各々を消去放電させて消灯モードの状態に遷移させる。
【００５０】
パネル駆動部は、かかる発光駆動シーケンスに従ってＰＤＰ１００を駆動することにより、単位表示期間毎に、各放電セルＧを図４に示される第１〜第８階調各々にて示される形態で発光駆動する。
【００５１】
すなわち、パネル駆動部は、入力映像信号によって表現可能な輝度範囲を図４に示す如き８段階（第１〜第８階調）にて表す階調画素データＭＤに応じて、単位表示期間内のサブフィールド各々の内の１のサブフィールド（黒丸印にて示す）のアドレス行程のみで放電セルＧを選択消去アドレス放電させる。図５に示す発光駆動シーケンスによれば、単位表示期間内のサブフィールド各々の内で、放電セルを消灯モードから点灯モードの状態に遷移させることが可能な機会は、先頭のサブフィールドＳＦ０のリセット行程Ｒだけである。よって、単位表示期間内の１のサブフィールドのアドレス行程（Ｗ０、Ｗ１、Ｗ２、Ｗ３又はＷ４）にて消灯モードの状態に遷移した放電セルＧは、それ以降のサブフィールドで点灯モードに復帰することはない。従って、放電セルＧは、図４の黒丸印にて示されるサブフィールドのアドレス行程で消灯モードに遷移するまでの間、先頭から連続したサブフィールド各々において点灯モードの状態を維持し、各ＳＦのサスティン行程Ｉにおいてサスティン放電する（白丸印にて示す）。この際、単位表示期間内において各サスティン行程Ｉで生起されたサスティン放電の合計回数に対応した中間輝度が視覚される。
【００５２】
例えば、階調画素データＭＤが最低輝度レベルを表す［００００］である場合に実施される第１階調駆動では、パネル駆動部は、図４に示す如く先頭のサブフィールドＳＦ０のみで放電セルＧを選択消去アドレス放電させ（黒丸印にて示す）、この放電セルＧを消灯モードの状態に遷移させる。よって、この第１階調の駆動によれば、単位表示期間内においてサスティン放電が一切生起されないので、黒表示を担う最低輝度レベル０が表現される。
【００５３】
又、階調画素データＭＤが［００００］よりも１段階だけ高輝度を表す[０００１]である場合に実施される第２階調駆動では、パネル駆動部は、単位表示期間内においてサブフィールドＳＦ１のみで放電セルＧを選択消去アドレス放電させ（二重黒丸印にて示す）、この放電セルＧを消灯モードの状態に遷移させる。よって、この第２階調の駆動によれば、単位表示期間内においてサブフィールドＳＦ１のサスティン行程Ｉのみでサスティン放電が生起される。この際、かかるＳＦ１にて生起されたサスティン放電の回数に対応した輝度レベル「２」が表現される。
【００５４】
又、階調画素データＭＤが上記［０００１］よりも１段階だけ高輝度を表す[００１０]である場合に実施される第３階調駆動では、パネル駆動部は、位表示期間内においてサブフィールドＳＦ２のみで放電セルＧを選択消去アドレス放電させ（二重黒丸印にて示す）、この放電セルＧを消灯モードの状態に遷移させる。よって、第３階調の駆動によれば、単位表示期間内においてサブフィールドＳＦ１及びＳＦ２各々のサスティン行程Ｉのみでサスティン放電が生起される。この際、これらＳＦ１及びＳＦ２にて生起されたサスティン放電の合計回数に対応した輝度レベル「４」が表現される。
【００５５】
ここで、所定輝度レベルよりも低輝度を表現する第１〜第３階調各々では、パネル駆動部は、全ての表示ラインに対して同一の輝度重みを割り当てて各表示ラインに属する放電セル各々を、その階調に対応した同一の輝度レベルで発光させるようにしている。
【００５６】
一方、所定輝度レベルよりも高輝度を表現する第４〜第７階調各々では、隣接する８つの表示ライン、つまり、
第(8N-7)表示ライン：第1，第9，第17，・・・，第(n-7)表示ライン
第(8N-6)表示ライン：第2，第10，第18，・・・，第(n-6)表示ライン
第(8N-5)表示ライン：第3，第11，第19，・・・，第(n-5)表示ライン
第(8N-4)表示ライン：第4，第12，第20，・・・，第(n-4)表示ライン
第(8N-3)表示ライン：第5，第13，第21，・・・，第(n-3)表示ライン
第(8N-2)表示ライン：第6，第14，第22，・・・，第(n-2)表示ライン
第(8N-1)表示ライン：第7，第15，第23，・・・，第(n-1)表示ライン
第(8N)表示ライン  ：第8，第16，第24，・・・，第(n)表示ライン
に対して、夫々以下の如き輝度重みを割り当てることにより、各表示ラインに属する放電セルＧの各々を異なる輝度レベルで発光させる、いわゆるラインディザ駆動を実施する。
【００５７】
かかるラインディザ駆動では、各表示ライン毎に、その表示ラインに属する放電セルＧをサスティン放電させるべきサブフィールド（白丸印にて示す）の数（単位表示期間内での数）を異ならせるのである。
【００５８】
例えば、図４に示す如く、[００１１]なる階調画素データＭＤに応じた第４階調の駆動では、パネル駆動部は、第(8N-6)，第(8N-5)，第(8N-2)及び第(8N-1)表示ラインに夫々属する放電セルに対しては、サブフィールドＳＦ３１のみで放電セルＧを選択消去アドレス放電させる（二重黒丸印にて示す）。又、第(8N-7)，第(8N-4)，第(8N-3)及び第(8N)表示ラインに夫々属する放電セルに対しては、パネル駆動部は、サブフィールドＳＦ３２のみで放電セルＧを選択消去アドレス放電させる（二重黒丸印にて示す）。これにより、第(8N-6)，第(8N-5)，第(8N-2)及び第(8N-1)表示ラインに夫々属する放電セルは、単位表示期間内においてサブフィールドＳＦ１、ＳＦ２及びＳＦ３１各々のサスティン行程Ｉのみでサスティン放電が生起される。一方、第(8N-7)，第(8N-4)，第(8N-3)及び第(8N)表示ラインに夫々属する放電セルは、単位表示期間内においてサブフィールドＳＦ１、ＳＦ２、ＳＦ３１及びＳＦ３２各々のサスティン行程Ｉのみでサスティン放電が生起される。
【００５９】
従って、第４階調の駆動によれば、単位表示期間内で生起されたサスティン放電の合計回数に応じて、
第(8N-7)表示ラインに属する放電セルは輝度レベル「８」、
第(8N-6)表示ラインに属する放電セルは輝度レベル「６」、
第(8N-5)表示ラインに属する放電セルは輝度レベル「６」、
第(8N-4)表示ラインに属する放電セルは輝度レベル「８」、
第(8N-3)表示ラインに属する放電セルは輝度レベル「８」、
第(8N-2)表示ラインに属する放電セルは輝度レベル「６」、
第(8N-1)表示ラインに属する放電セルは輝度レベル「６」、
第(8N)表示ラインに属する放電セルは輝度レベル「８」、
にて夫々発光する。
【００６０】
すなわち、第４階調の駆動では、隣接する８つの表示ライン各々に対して、２段階の輝度重みを割り当てて、その表示ラインに属する放電セルを駆動するようにしている。この際、最大の輝度重みに対応した輝度レベル「８」と、最小の輝度重みに対応した輝度レベル「６」との輝度差は「２」である。
【００６１】
次に、[００１１]よりも１段階だけ高輝度を表す[０１００]なる階調画素データＭＤに応じた第５階調の駆動では、パネル駆動部は、第(8N-7)及び第(8N-4)表示ラインに属する放電セルに対してはＳＦ３４にて選択消去アドレス放電を生起させる（二重黒丸印にて示す）。これにより、第(8N-7)及び第(8N-4)表示ラインに属する放電セルは、サブフィールドＳＦ１、ＳＦ２、及びＳＦ３１〜ＳＦ３４各々で連続してサスティン放電することになる。又、かかる第５階調駆動において、第(8N-6)及び第(8N-1)表示ラインに属する放電セルに対しては、パネル駆動部は、ＳＦ３３にて選択消去アドレス放電を生起させる（二重黒丸印にて示す）。これにより、第(8N-6)及び第(8N-1)表示ラインに属する放電セルは、サブフィールドＳＦ１、ＳＦ２、ＳＦ３１〜ＳＦ３３各々で連続してサスティン放電することになる。又、かかる第５階調駆動において、第(8N-5)及び第(8N-2)表示ラインに属する放電セルに対しては、パネル駆動部は、ＳＦ４１にて選択消去アドレス放電を生起させる（二重黒丸印にて示す）。これにより、第(8N-5)及び第(8N-2)表示ラインに属する放電セルは、サブフィールドＳＦ１、ＳＦ２、ＳＦ３１〜ＳＦ３４及びＳＦ４１各々で連続してサスティン放電することになる。又、かかる第５階調駆動において、第(8N-3)及び第(8N)表示ラインに属する放電セルに対しては、パネル駆動部は、ＳＦ４２にて選択消去アドレス放電を生起させる（二重黒丸印にて示す）。これにより、第(8N-3)及び第(8N)表示ラインに属する放電セルは、サブフィールドＳＦ１、ＳＦ２、ＳＦ３１〜ＳＦ３４、ＳＦ４１及びＳＦ４２各々で連続してサスティン放電することになる。
【００６２】
従って、第５階調の駆動によれば、単位表示期間内で生起されたサスティン放電の合計回数に応じて、
第(8N-7)表示ラインに属する放電セルは輝度レベル「１２」、
第(8N-6)表示ラインに属する放電セルは輝度レベル「１０」、
第(8N-5)表示ラインに属する放電セルは輝度レベル「１４」、
第(8N-4)表示ラインに属する放電セルは輝度レベル「１２」、
第(8N-3)表示ラインに属する放電セルは輝度レベル「１６」、
第(8N-2)表示ラインに属する放電セルは輝度レベル「１４」、
第(8N-1)表示ラインに属する放電セルは輝度レベル「１０」、
第(8N)表示ラインに属する放電セルは輝度レベル「１６」、
にて夫々発光する。
【００６３】
すなわち、第５階調の駆動では、隣接する８つの表示ライン各々に対して、４段階の輝度重みを割り当てて、その表示ラインに属する放電セルを駆動するようにしている。この際、最大の輝度重みに対応した輝度レベル「１６」と、最小の輝度重みに対応した輝度レベル「１０」との輝度差は「６」である。
【００６４】
次に、[０１００]よりも１段階だけ高輝度を表す[０１０１]なる階調画素データＭＤに応じた第６階調の駆動では、パネル駆動部は、第(8N-7)及び第(8N-4)表示ラインに属する放電セルに対してはＳＦ４４にて選択消去アドレス放電を生起させる（二重黒丸印にて示す）。これにより、第(8N-7)及び第(8N-4)表示ラインに属する放電セルは、サブフィールドＳＦ１、ＳＦ２、ＳＦ３１〜ＳＦ３４及びＳＦ４１〜ＳＦ４４各々で連続してサスティン放電することになる。又、かかる第６階調駆動において、第(8N-6)及び第(8N-1)表示ラインに属する放電セルに対しては、パネル駆動部は、ＳＦ４３にて選択消去アドレス放電を生起させる（二重黒丸印にて示す）。これにより、第(8N-6)及び第(8N-1)表示ラインに属する放電セルは、サブフィールドＳＦ１、ＳＦ２、ＳＦ３１〜ＳＦ３４、ＳＦ４１〜ＳＦ４３各々で連続してサスティン放電することになる。又、かかる第６階調駆動において、第(8N-5)及び第(8N-2)表示ラインに属する放電セルに対しては、パネル駆動部は、ＳＦ５１にて選択消去アドレス放電を生起させる（二重黒丸印にて示す）。これにより、第(8N-5)及び第(8N-2)表示ラインに属する放電セルは、サブフィールドＳＦ１、ＳＦ２、ＳＦ３１〜ＳＦ３４、ＳＦ４１〜ＳＦ４４及びＳＦ５１各々で連続してサスティン放電することになる。又、かかる第６階調駆動において、第(8N-3)及び第(8N)表示ラインに属する放電セルに対しては、パネル駆動部は、ＳＦ５２にて選択消去アドレス放電を生起させる（二重黒丸印にて示す）。これにより、第(8N-3)及び第(8N)表示ラインに属する放電セルは、サブフィールドＳＦ１、ＳＦ２、ＳＦ３１〜ＳＦ３４、ＳＦ４１〜ＳＦ４４、ＳＦ５１及びＳＦ５２各々で連続してサスティン放電することになる。
【００６５】
従って、第６階調の駆動によれば、単位表示期間内で生起されたサスティン放電の合計回数に応じて、
第(8N-7)表示ラインに属する放電セルは輝度レベル「２０」、
第(8N-6)表示ラインに属する放電セルは輝度レベル「１８」、
第(8N-5)表示ラインに属する放電セルは輝度レベル「２２」、
第(8N-4)表示ラインに属する放電セルは輝度レベル「２０」、
第(8N-3)表示ラインに属する放電セルは輝度レベル「２４」、
第(8N-2)表示ラインに属する放電セルは輝度レベル「２２」、
第(8N-1)表示ラインに属する放電セルは輝度レベル「１８」、
第(8N)表示ラインに属する放電セルは輝度レベル「２４」、
にて夫々発光する。
【００６６】
すなわち、第６階調の駆動では、隣接する８つの表示ライン各々に対して、４段階の輝度重みを割り当てて、その表示ラインに属する放電セルを駆動するようにしている。この際、最大の輝度重みに対応した輝度レベル「２４」と、最小の輝度重みに対応した輝度レベル「１８」との輝度差は「６」である。
【００６７】
次に、[０１０１]よりも１段階だけ高輝度を表す[０１１０]なる階調画素データＭＤに応じた第７階調の駆動では、パネル駆動部は、第(8N-7)及び第(8N-4)表示ラインに属する放電セルに対してはＳＦ５４にて選択消去アドレス放電を生起させる（二重黒丸印にて示す）。これにより、第(8N-7)及び第(8N-4)表示ラインに属する放電セルは、サブフィールドＳＦ１、ＳＦ２、ＳＦ３１〜ＳＦ３４、ＳＦ４１〜ＳＦ４４及びＳＦ５１〜ＳＦ５４各々で連続してサスティン放電することになる。又、かかる第７階調駆動において、第(8N-6)及び第(8N-1)表示ラインに属する放電セルに対しては、パネル駆動部は、ＳＦ５３にて選択消去アドレス放電を生起させる（二重黒丸印にて示す）。これにより、第(8N-6)及び第(8N-1)表示ラインに属する放電セルは、サブフィールドＳＦ１、ＳＦ２、ＳＦ３１〜ＳＦ３４、ＳＦ４１〜ＳＦ４４、ＳＦ５１〜ＳＦ５３各々で連続してサスティン放電することになる。又、かかる第７階調駆動において、第(8N-5)、第(8N-3)、第(8N-2)及び第(8N)表示ラインに属する放電セルに対しては、パネル駆動部は、単位表示期間内において一切、選択消去アドレス放電させない。これにより、第(8N-5)、第(8N-3)、第(8N-2)及び第(8N)表示ラインに属する放電セルは、サブフィールドＳＦ１、ＳＦ２、ＳＦ３１〜ＳＦ３４、ＳＦ４１〜ＳＦ４４、ＳＦ５１〜ＳＦ５４及びＳＦ６各々で連続してサスティン放電することになる。
【００６８】
従って、第７階調の駆動によれば、単位表示期間内で生起されたサスティン放電の合計回数に応じて、
第(8N-7)表示ラインに属する放電セルは輝度レベル「２８」、
第(8N-6)表示ラインに属する放電セルは輝度レベル「２６」、
第(8N-5)表示ラインに属する放電セルは輝度レベル「３０」、
第(8N-4)表示ラインに属する放電セルは輝度レベル「２８」、
第(8N-3)表示ラインに属する放電セルは輝度レベル「３０」、
第(8N-2)表示ラインに属する放電セルは輝度レベル「３０」、
第(8N-1)表示ラインに属する放電セルは輝度レベル「２６」、
第(8N)表示ラインに属する放電セルは輝度レベル「３０」、
にて夫々発光する。
【００６９】
すなわち、第７階調の駆動では、隣接する８つの表示ライン各々に対して、３段階の輝度重みを割り当てて、その表示ラインに属する放電セルを駆動するようにしている。この際、最大の輝度重みに対応した輝度レベル「３０」と、最小の輝度重みに対応した輝度レベル「２６」との輝度差は「４」である。
【００７０】
そして、最高輝度を表す［０１１１］なる階調画素データＭＤに応じた第８階調の駆動では、パネル駆動部は、全放電セルを対象として、単位表示期間内において一切、選択消去アドレス放電させない。これにより、放電セルは、サブフィールドＳＦ１、ＳＦ２、ＳＦ３１〜ＳＦ３４、ＳＦ４１〜ＳＦ４４、ＳＦ５１〜ＳＦ５４及びＳＦ６各々で連続してサスティン放電することになる。
【００７１】
従って、第８階調の駆動によれば、放電セルＧは、その属する表示ラインに拘わらず全て輝度レベル「３０」にて発光することになる。
【００７２】
このように、図２に示されるプラズマディスプレイ装置では、ラインディザ駆動を実施する各階調の内で図４に示す如き第５及び第６階調各々では、隣接する８つの表示ライン各々に４段階の輝度重みを割り当てて、各表示ライン毎にその表示ラインに属する放電セルを異なる輝度レベルで発光駆動させている。この際、最大の輝度重みに対応した輝度レベルと、最小の輝度重みに対応した輝度レベルとの輝度差は「６」である。又、これら第５及び第６階調間での各表示ライン毎の輝度差は、図６（ａ）に示す如く全て「８」であり、バラツキは一切無い。
【００７３】
一方、ラインディザ駆動を実施する各階調（第４〜第７階調）の内で、最も低輝度を表現する階調、つまり第４階調では、隣接する８つの表示ライン各々に２段階の輝度重みを割り当てて、その表示ラインに属する放電セルを駆動するようにしている。この際、かかる第４階調よりも１段階だけ低輝度を表す第３階調ではラインディザ駆動が実施されないので、この第３階調及び第４階調間では、他の階調間に比して各表示ライン毎の輝度差のバラツキが大となってしまう。
【００７４】
そこで、第４階調では、隣接する８つの表示ライン各々に輝度重みを割り当てて駆動するにあたり、最大の輝度重みに対応した輝度レベルと、最小の輝度重みに対応した輝度レベルとの輝度差を、上述した如き第５又は第６階調での輝度差「６」よりも小なる輝度差「２」にしている。これにより、第３及び第４階調間での各表示ライン毎の輝度差は、図６（ｂ）の如く、第(8N-7)、第(8N-4)、第(8N-3)及び第(8N)表示ラインでは「４」、第(8N-6)、第(8N-5)、第(8N-2)及び第(8N-1)表示ラインでは「２」となり、そのバラツキ幅は「２」となる。
【００７５】
つまり、第４階調では、上述した如き第５又は第６階調に比べて各表示ラインに割り当てるべき最大輝度重みに対応した輝度レベルと、最小輝度重みに対応した輝度レベルとの輝度差を小さくすることにより、各表示ライン毎の輝度差のバラツキを小にしたのである。
【００７６】
よって、ラインディザ駆動を実施する各階調（第４〜第７階調）の内で、最も低輝度を表現する階調（第４階調）、及びこの階調（第４階調）よりも１段階だけ低輝度を表し且つラインディザ駆動を実施しない階調（第３階調）間での、各表示ライン毎の輝度差は比較的小となる。
【００７７】
従って、低輝度な画像を表示する際にも、入力映像信号によって示される輝度値を表すディザパターンを形成させることが容易となり、高品質な画像を提供することが可能となる。
【図面の簡単な説明】
【００７８】
【図１】ラインディザ駆動を実施する際の発光駆動パターンの一例を示す図である。
【図２】表示パネルとしてのプラズマディスプレイパネルを駆動するプラズマディスプレイ装置の構成を示す図である。
【図３】ラインオフセットデータ生成回路２１０において生成されるラインオフセットデータの一例を示す図である。
【図４】図２に示されるプラズマディスプレイ装置において実施される各階調毎の発光駆動パターンを示す図である。
【図５】図２に示されるプラズマディスプレイ装置において採用される発光駆動シーケンスの一例を示す図である。
【図６】ラインディザ駆動を実施する第５及び第６階調間での表示ライン毎の輝度差、並びにラインディザ駆動を実施しない第３階調及びラインディザ駆動を実施する第４階調間での表示ライン毎の輝度差を夫々示す図である。
【符号の説明】
【００７９】
６０    駆動制御回路
１００  ＰＤＰ
２１０  ラインオフセットデータ生成回路
【図１】
2008304599.tif 000003
【図２】
2008304599.tif 000004
【図３】
2008304599.tif 000005
【図４】
2008304599.tif 000006
【図５】
2008304599.tif 000007
【図６】
2008304599.tif 000008